(57)【要約】【課題】従来の構成と異なる新規な構成によって不正解錠を防止することができる遊技機用施錠装置を提供する。【解決手段】施錠装置１は、外枠２１側に固定される受部材１４，１５と、前枠２２側に移動可能に設けられる鉤部材３，４を有している。受部材１４，１５の一つには、複数の鉤部材３，４が係止される。そして複数の鉤部材３，４は、別々の付勢部材１０，１１によって受部材１４，１５に係止方向に付勢され、かつ前枠２２に設けられたシリンダ錠６の錠軸に連動する解除機構５によって受部材１４，１５から係止解除される構成になっている。【選択図】図１
2008161285.tif 000002
【特許請求の範囲】
【請求項１】
遊技機の外枠に回動可能に取付けられた前枠を施錠・解錠するために、前記外枠側に固定される受部材と、前記前枠側に移動可能に設けられる鉤部材とを有する遊技機用施錠装置であって、
前記受部材の一つには、複数の鉤部材が係止され、
前記複数の鉤部材は、別々の付勢部材によって前記受部材に係止方向に付勢され、かつ前記前枠に設けられたシリンダ錠の錠軸に連動する解除機構によって前記受部材から係止解除される構成になっていることを特徴とする遊技機用施錠装置。
【請求項２】
請求項１に記載の遊技機用施錠装置であって、
受部材は、外枠側から前枠側に向けて上下方向に傾斜角を有する傾斜部を有し、
複数の鉤部材の一つは、前記受部材の傾斜部の下面または上面に付勢部材の付勢力によって当接して前記受部材に対して係止し、かつ前記傾斜部を貫通することなく前記傾斜部によって覆われる構成になっていることを特徴とする遊技機用施錠装置。
【請求項３】
請求項２に記載の遊技機用施錠装置であって、
受部材は、外枠に固定される固定部と、その固定部から延出して鉤部材の一つが引っ掛けられる掛止部と、その掛止部から前枠側に延出して他の一つの鉤部材が係止される傾斜部と、前記掛止部と前記傾斜部の側縁に立設して前記傾斜部に係止する鉤部材の側方を覆うカバー部とを一体に有していることを特徴とする遊技機用施錠装置。
【発明の詳細な説明】
【技術分野】
【０００１】
本発明は、遊技機の外枠に回動可能に取付けられた前枠を施錠・解錠するための遊技機用施錠装置に関する。特に針金などを使用した不正解錠を防止するための機構を備えた遊技機用施錠装置に関する。
【背景技術】
【０００２】
従来、様々な施錠装置が知られており、例えば特許文献１，２に記載の施錠装置が知られている。特許文献１の施錠装置は、前枠の裏面に上下動可能に取付けられるフック体と、シリンダ錠の錠軸とともに回動してフック体を上下動させるカムと、カムの動作を妨げるロック片と、ロック片をロック位置と解除位置に移動させるモータとを有している。したがって針金などによってフック体が不正操作されることをロック片とモータによって防止することができる。しかしモータは、高価な部品であり、しかも電力を必要とするという問題を有している。
【０００３】
特許文献２に記載の施錠装置は、縦長の基枠と、基枠の上下部に傾動可能に枢支された鉤部材と、一対の鉤部材に跨って延出して鉤部材を傾動可能に連結する連結杆と、シリンダ錠の錠軸とともに回動して連結杆を上下動させるカムと、連結杆をロックするロック部材を有している。したがって連結杆が針金などによって不正に操作されて施錠装置が解錠状態にされることをロック部材によって防止することができる。しかし不正解錠をさらに強く防止するために他の新規な機構が従来望まれている。
【特許文献１】特開２００６−１６１３６６号公報
【特許文献２】特開２００４−１４１２５６号公報
【発明の開示】
【発明が解決しようとする課題】
【０００４】
そこで本発明は、電力を利用せずかつ従来の構成と異なる新規な構成によって不正解錠を防止することができる遊技機用施錠装置を提供することを課題とする。
【課題を解決するための手段】
【０００５】
前記課題を達成するために本発明は、各請求項に記載の通りの構成を備える遊技機用施錠装置であることを特徴とする。請求項１に記載の発明によると、外枠側に固定される受部材と、前枠側に移動可能に設けられる鉤部材とを有する遊技機用施錠装置であって、受部材の一つには、複数の鉤部材が係止される。そして複数の鉤部材は、別々の付勢部材によって受部材に係止方向に付勢され、かつ前枠に設けられたシリンダ錠の錠軸に連動する解除機構によって受部材から係止解除される構成になっている。
【０００６】
したがって一つの受部材には、複数の鉤部材が係止される。そしてこれら鉤部材は、別々の付勢部材によって係止方向に付勢される。そのため一つの鉤部材が不正に受部材から係止解除された場合でも、他の鉤部材が受部材に係止し続ける。そのため施錠装置は、不正に解錠状態され難い構成になっている。しかも一つの受部材に複数の鉤部材を係止させる構造であるため、受部材の数を従来の施錠装置等よりも増やす必要がなく、しかも電力を必要としない。また複数の鉤部材は、シリンダ錠の錠軸に連動する解除機構によって係止解除できる構成になっている。そのためシリンダ錠に挿入した鍵を回すことによって施錠装置を解錠状態にすることができる。
【０００７】
請求項２に記載の発明によると、受部材は、外枠側から前枠側に向けて上下方向に傾斜角を有する傾斜部を有している。そして複数の鉤部材の一つは、受部材の傾斜部の下面または上面に付勢部材の付勢力によって当接して受部材に対して係止し、かつ傾斜部を貫通することなく傾斜部によって覆われる構成になっている。
【０００８】
したがって鉤部材は、受部材の傾斜部の下面または上面に当接することで受部材に係止するという従来にない新規な構成になっている。しかもこの鉤部材は、傾斜部を貫通することなく傾斜部に係止するために傾斜部によって覆われた状態になる。そのためこの鉤部材が不正に操作されることが傾斜部によって防止され得る構成になっている。
【０００９】
請求項３に記載の発明によると、受部材は、外枠に固定される固定部と、その固定部から延出して鉤部材の一つが引っ掛けられる掛止部と、その掛止部から前枠側に延出して他の一つの鉤部材が係止される傾斜部と、掛止部と傾斜部の側縁に立設して傾斜部に係止する鉤部材の側方を覆うカバー部とを一体に有している。
【００１０】
したがって受部材は、一部材から構成されている。そして掛止部と傾斜部の側縁にカバー部が立設しているために、カバー部によって受部材の強度が強くなり不正な外力により破壊され難い構成になっている。しかもカバー部は、傾斜部に係止する鉤部材の側方を覆う構成である。そのためカバー部によって鉤部材の不正操作を抑制する。
【発明を実施するための最良の形態】
【００１１】
本発明の実施形態を図１〜１０にしたがって説明する。本形態の施錠装置１は、図１に示すようにパチンコ機またはスロット機等の遊技機２０に用いられる施錠装置である。遊技機２０は、外枠２１と前枠２２を有している。
【００１２】
外枠２１は、図１に示すように矩形状であって、上下左右の枠部材２１ａ〜２１ｄと、下部前面を構成する幕板２１ｅを有している。上下の枠部材２１ａ，２１ｂと幕板２１ｅは、木製であり、左右の枠部材２１ｃ，２１ｄは、金属製（例えばアルミニウム製）である。幕板２１ｅの前面には、樹脂製の幕板飾り２１ｆが取付けられている。前枠２２は、木製または樹脂製などの板材であって中央部に開口窓２２ａを有している。前枠２２の左側の上部と下部は、ヒンジ２３，２４によって外枠２１に回動可能に取付けられており、前枠２２は、外枠２１に対して開いた位置と閉じた位置の間で回動される。そして前枠２２が閉じた位置にて施錠装置１によって施錠・解錠される。
【００１３】
施錠装置１は、図１に示すように前枠２２の裏面に取付けられる前枠側施錠装置１ａと、外枠２１に固定される受部材１４，１５を有している。前枠側施錠装置１ａは、図２，３に示すように上下方向に長いベース部材２を有しており、ベース部材２の上部と下部のそれぞれに二種類の鉤部材３，４が移動可能（上下動可能、傾動可能）に取付けられている。
【００１４】
ベース部材２は、図４に示すように断面コ字状の本体２ａと、本体２ａに取付けられるシリンダ錠６の裏側を覆う錠カバー体２ｂとを有している。シリンダ錠６の錠軸６ａの裏側先端には、カム７が固定されている。本体２ａ内には、カム７に連動して鉤部材３，４を解除操作する解除機構５が取付けられている。
【００１５】
解除機構５は、図４に示すように回動部材５ａと、回動部材５ａに連結される一対の傾動リンク５ｂと、傾動リンク５ｂに連結される一対の上下動リンク５ｃを有している。回動部材５ａは、中心部５ａ１がピンによってベース部材２に回動可能に取付けられる。傾動リンク５ｂは、一端部が回動部材５ａの端部に傾動可能に連結され、他端部が上下動リンク５ｃの端部と傾動可能に連結される。
【００１６】
上下動リンク５ｃは、図４に示すようにベース部材２に上下動可能に取付けられる。下側の上下動リンク５ｃには、カム７を回動させた際にカム７によって上方に押される力受部５ｃ３が形成されている。したがって解除機構５は、カム７によって回動部材５ａが回動されることで傾動リンク５ｂが傾動し、上下動リンク５ｃが上下動する。
【００１７】
鉤部材４は、図４に示すように非円形の板材であって、一端部に傾動中心部４ａを有し、側面に突出部４ｂを有している。鉤部材４は、上下動リンク５ｃ内に設置されて、傾動中心部４ａがピンによってベース部材２に傾動可能に取付けられる。突出部４ｂは、上下動リンク５ｃに形成された力付与片５ｃ１によって押され得る構成になっており、突出部４ｂが力付与片５ｃ１によって押されることで鉤部材４が解除方向に傾動する構成になっている。
【００１８】
鉤部材４を係止方向に付勢するための付勢部材１１が図４に示すようにベース部材２に取付けられている。付勢部材１１は、板ばねであって、ベース部材２に取付けられる取付部１１ａと、取付部１１ａから片持ち梁状に延出して鉤部材４の端縁を弾性的に付勢する弾性部１１ｂを有している。
【００１９】
鉤部材３は、図４に示すようにベース部材２の側面に上下動可能に取付けられる本体部３ａと、本体部３ａの一端縁から延出するフック部３ｂと、本体部３ａの他端縁から延出する力受片３ｃとばね係止片３ｄを有している。フック部３ｂは、図８に示すように外枠２１に向けて延出して受部材１４，１５に係止する。
【００２０】
力受片３ｃは、図４に示すようにベース部材２に形成された孔２ａ１を貫通してベース部材２内に張出して上下動リンク５ｃに形成された力付与片５ｃ２によって押され得る構成になっている。したがって突出部４ｂが力付与片５ｃ２によって押されることで鉤部材３が解除方向（上下中心方向）に移動する構成になっている。ばね係止片３ｄは、付勢部材１０の一端部と連結され、付勢部材１０の他端部は、ベース部材２と連結されている。したがって鉤部材３は、受部材１４に係止する方向に付勢されている。
【００２１】
ベース部材２の本体２ａ内には、図４に示すようにガラス板用施錠部材８が上下動可能に取付けられている。ガラス板用施錠部材８は、前枠２２に回動可能に取付けられるガラス枠（図示省略）を施錠・解錠する部材であり、一側縁にガラス枠に係止する一対のフック８ａを有している。
【００２２】
ガラス板用施錠部材８と解除機構５の傾動リンク５ｂの間には、図４に示すようにコイルばね１２が取付けられている。したがって解除機構５がコイルばね１２によって待機位置に付勢され、ガラス板用施錠部材８がコイルばね１２によって施錠方向（下方）に付勢されている。ガラス板用施錠部材８は、図３（Ｂ）に示すようにシリンダ錠６に挿入した鍵を左方向に回動させることで、カム７によって下端部８ｂが押上げられ、ガラス枠を前枠２２に対して解錠する。
【００２３】
図１に示すように外枠２１の右側の枠部材２１ｄの内周面には、上部と下部に受部材１４，１５が固定されている。図５に示すように受部材１４は、固定部１４ａと掛止部１４ｂと傾斜部１４ｃを一体に有している。固定部１４ａは、ねじによって枠部材２１ｄに固定される。掛止部１４ｂは、固定部１４ａの端部（下端部）から外枠２１中央に延出しており、鉤部材３が引っ掛けられる切欠き部１４ｂ１を後端部に有している（図８参照）。
【００２４】
傾斜部１４ｃは、掛止部１４ｂの前端部から前枠２２側に下方斜めに延出している。傾斜部１４ｃの下面には、鉤部材４が当接され、鉤部材４の前側一部を傾斜部１４ｃによって覆う。図８（Ｂ）に示すように鉤部材４は、鉤部材４の傾動中心部４ａよりも前側位置にて先端部が傾斜部１４ｃに当接している。そのため前枠２２を開放方向に回動させると、鉤部材４が傾斜部１４ｃに食い込む。したがって鉤部材４によって前枠２２の開放を抑制する。
【００２５】
掛止部１４ｂと傾斜部１４ｃの側縁部には、図５に示すようにカバー部１４ｄが立設されており、掛止部１４ｂの後端縁には、第二のカバー部１４ｅが立設されている。カバー部１４ｄは、掛止部１４ｂと傾斜部１４ｃを連結するためにこれらを補強する。カバー部１４ｄは、鉤部材３，４の側方を覆うため、鉤部材３，４の側方からの不正操作を防止する。第二のカバー部１４ｅは、鉤部材３の側方と鉤部材４の後方とを覆うため、鉤部材３，４の不正操作を防止する。
【００２６】
受部材１５は、図６に示すように受部材１４と同様に、固定部１５ａ、掛止部１５ｂ、傾斜部１５ｃ、カバー部１５ｄおよび第二のカバー部１５ｅを有している。そして受部材１５は、これらに加えて第二の固定部１５ｆを有している。第二の固定部１５ｆは、固定部１５ａの前端縁に立設されており、ねじによって図１に示す幕板２１ｅの裏面に固定される。傾斜部１５ｃは、掛止部１５ｂの前端部から前枠２２側に上方斜めに延出しており、上面に鉤部材４が係止される。
【００２７】
施錠装置１を施錠状態にする場合は、先ず、前枠２２を外枠２１に対して開き位置から閉じ位置に向けて回動させる（図１参照）。これにより前枠２２側に設けられた鉤部材３が図７に示すように受部材１４（１５）に当接する。そして鉤部材３が付勢部材１０に抗してベース部材２に対して長手方向中心側にスライドする。続いて図８に示すように鉤部材４が受部材１４（１５）に当接して、鉤部材４の先端部が付勢部材１１に抗してベース部材２に対し前側に傾動する。
【００２８】
次に、図８に示すように鉤部材３が付勢部材１０の付勢力を利用してスライドして、フック部３ｂが受部材１４の掛止部１４ｂに係止する（引っ掛かる）。鉤部材４は、付勢部材１１の付勢力を利用して傾動して受部材１４の傾斜部１４ｃの下面（または受部材１５の傾斜部１５ｃの上面）に当接する。これにより鉤部材４は、傾斜部１４ｃ，１５ｃに係合する。かくして施錠装置１は、二種類の鉤部材３，４によって施錠状態になる。
【００２９】
施錠装置１を解錠状態にする場合は、先ずシリンダ錠６に鍵を差込み、鍵を右方向に回す（図３，４参照）。これにより施錠装置１の錠軸６ａに固定されたカム７が回転して、カム７によって下側の上下動リンク５ｃが押上げられ、その結果、一対の上下動リンク５ｃが付勢部材１２に抗して近接方向に移動する。
【００３０】
次に、上下動リンク５ｃの力付与片５ｃ１が図１０に示すように鉤部材４の突出部４ｂを押下げ、鉤部材４の先端部が付勢部材１１に抗して前側に傾動し、鉤部材４が受部材１４（１５）から係止解除される。続いて上下動リンク５ｃの力付与片５ｃ２が鉤部材３の力受片３ｃを押下げ、鉤部材３が付勢部材１０に抗して上下中央方向に移動して、鉤部材３が受部材１４（１５）から係止解除される。かくして施錠装置１は、解錠状態になる。
【００３１】
図９に示すように外枠２１の右側の枠部材２１ｄには、短手方向中央部にて上下に延出する中空部２１ｄ１が形成されている。したがって枠部材２１ｄは、中空部２１ｄ１によって軽量かつ強度が強い構成になっている。枠部材２１ｄの後端部には、枠内側に張出す張出し片２１ｄ２が形成されている。張出し片２１ｄ２は、先端部が第二のカバー部１４ｅ（１５ｅ）に近接し、鉤部材３の先端を後方から覆う。したがって鉤部材３の後方からの不正操作を張出し片２１ｄ２によって防止することができる。
【００３２】
以上のようにして施錠装置１が形成されている。すなわち施錠装置１は、図１，４に示すように受部材１４，１５と鉤部材３，４を有している。各受部材１４，１５には、複数の鉤部材３，４が係止される。そして複数の鉤部材３，４は、別々の付勢部材１０，１１によって受部材１４，１５に係止方向に付勢され、かつ前枠２２に設けられたシリンダ錠６の錠軸６ａに連動する解除機構５によって受部材１４，１５から係止解除される構成になっている。
【００３３】
したがって一つの受部材（１４または１５）には、複数の鉤部材３，４が係止される。そしてこれら鉤部材３，４は、別々の付勢部材１０，１１によって係止方向に付勢される。そのため一つの鉤部材（３または４）が不正に受部材１４，１５から係止解除された場合でも、他の鉤部材（３または４）が受部材１４，１５に係止し続ける。そのため施錠装置１は、不正に解錠状態され難い構成になっている。しかも一つの受部材１４，１５に複数の鉤部材３，４を係止させる構造であるため、受部材１４，１５の数を従来の施錠装置１等よりも増やす必要がなく、しかも電力を必要としない。また複数の鉤部材３，４は、シリンダ錠６の錠軸６ａに連動する解除機構５によって係止解除できる構成になっている。そのためシリンダ錠６に挿入した鍵を回すことによって施錠装置１を解錠状態にすることができる。
【００３４】
また受部材１４，１５は、図５〜７に示すように外枠２１側から前枠２２側に向けて上下方向に傾斜角を有する傾斜部１４ｃ，１５ｃを有している。そして複数の鉤部材３，４の一つ（４）は、受部材１４，１５の傾斜部１４ｃ，１５ｃの下面または上面に付勢部材１１の付勢力によって当接して受部材１４，１５に対して係止し、かつ傾斜部１４ｃ，１５ｃを貫通することなく傾斜部１４ｃ，１５ｃによって覆われる構成になっている。
【００３５】
したがって鉤部材４は、受部材１４，１５の傾斜部１４ｃ，１５ｃの下面または上面に当接することで受部材１４，１５に係止するという従来にない新規な構成になっている。しかもこの鉤部材４は、傾斜部１４ｃ，１５ｃを貫通することなく傾斜部１４ｃ，１５ｃに係止するために傾斜部１４ｃ，１５ｃによって覆われた状態になる。そのためこの鉤部材４が不正に操作されることが傾斜部１４ｃ，１５ｃによって防止され得る構成になっている。
【００３６】
また受部材１４，１５は、図５，６に示すように外枠２１に固定される固定部１４ａ，１５ａと、固定部１４ａ，１５ａから延出して鉤部材３，４の一つ（３）が引っ掛けられる掛止部１４ｂ，１５ｂと、掛止部１４ｂ，１５ｂから前枠２２側に延出して他の一つの鉤部材４が係止される傾斜部１４ｃ，１５ｃと、掛止部１４ｂ，１５ｂと傾斜部１４ｃ，１５ｃの側縁に立設して傾斜部１４ｃ，１５ｃに係止する鉤部材４の側方を覆うカバー部１４ｄ，１５ｄとを一体に有している。
【００３７】
したがって受部材１４，１５は、一部材から構成されている。そして掛止部１４ｂ，１５ｂと傾斜部１４ｃ，１５ｃの側縁にカバー部１４ｄ，１５ｄが立設しているために、カバー部１４ｄ，１５ｄによって受部材１４，１５の強度が強くなり不正な外力により破壊され難い構成になっている。しかもカバー部１４ｄ，１５ｄは、傾斜部１４ｃ，１５ｃに係止する鉤部材３の側方を覆う構成である。そのためカバー部１４ｄ，１５ｄによって鉤部材３の不正操作を抑制する。
【００３８】
（他の実施の形態）
本発明は、上記実施の形態に限定されず、以下の形態であっても良い。
（１）例えば上記実施の形態は、一対の受部材を有し、各受部材に二つの鉤部材が係止される構成になっていた。しかし受部材が前枠に一つ、または三つ以上設けられており、各受部材に複数の鉤部材が係止される形態になっていても良い。
（２）上記実施の形態に係る施錠装置は、各受部材に二つの鉤部材が係止される形態であった。しかし各受部材に三つ以上の鉤部材が係止される形態であっても良い。
（３）上記実施の形態に係る鉤部材３は、図４に示すようにベース部材２に上下動可能に取付けられる形態であった。しかし鉤部材３がベース部材２に上下方向に傾動可能に取付けられる形態であっても良い。
（４）上記実施の形態に係る鉤部材４は、図４に示すようにベース部材２に傾動可能に取付けられる形態であった。しかし鉤部材４がベース部材２に上下動可能に取付けられる形態であっても良い。
【図面の簡単な説明】
【００３９】
【図１】遊技機の斜視図である。
【図２】施錠装置の斜視図である。
【図３】ベース部材を除いた状態の施錠装置の斜視図である。
【図４】施錠装置の分解斜視図である。
【図５】受部材の斜視図である。
【図６】受部材の斜視図である。
【図７】施錠状態にする様子を示した施錠装置の一部断面図である。
【図８】施錠状態にする様子を示した施錠装置の一部断面図である。
【図９】図８（Ｂ）のIX―IX線断面矢視図である。
【図１０】解錠状態にする様子を示した施錠装置の一部断面図である。
【符号の説明】
【００４０】
１・・・施錠装置
１ａ・・・前枠側施錠装置
２・・・ベース部材
３，４・・・鉤部材
５・・・解除機構
６・・・シリンダ錠
７・・・カム
８・・・ガラス板用施錠部材
１０，１１，１２・・・付勢部材
１４，１５・・・受部材
１４ａ，１５ａ・・・固定部
１４ｂ，１５ｂ・・・掛止部
１４ｃ，１５ｃ・・・傾斜部
１４ｄ，１５ｄ・・・カバー部
２０・・・遊技機
２１・・・外枠
２２・・・前枠
【図１】
2008161285.tif 000003
【図２】
2008161285.tif 000004
【図３】
2008161285.tif 000005
【図４】
2008161285.tif 000006
【図５】
2008161285.tif 000007
【図６】
2008161285.tif 000008
【図７】
2008161285.tif 000009
【図８】
2008161285.tif 000010
【図９】
2008161285.tif 000011
【図１０】
2008161285.tif 000012